(57)【要約】  耳に対する安定した装着状態を確保する。  音声を出力するスピーカーと、内部にスピーカーが配置されたスピーカー配置部と、一端部がスピーカー配置部に連続され内部空間がスピーカーから出力される音声を導く音導空間として形成された音導パイプとを備え、音導パイプの他端に音声を耳へ向けて発する開口が形成され、スピーカー配置部の一部と音導パイプの一部、又は、音導パイプの各一部が耳介の外周部を挟んだ状態で耳に装着される。これにより、音導パイプとスピーカー配置部、又は、音導パイプによって耳介の外周部が挟まれることにより耳に装着されるため、耳に対する安定した装着状態を確保することができる。
2018042900.tif 000002
【特許請求の範囲】
【請求項１】
音声を出力するスピーカーと、
内部に前記スピーカーが配置されたスピーカー配置部と、
一端部が前記スピーカー配置部に連続され内部空間が前記スピーカーから出力される音声を導く音導空間として形成された音導パイプとを備え、
前記音導パイプの他端に音声を耳へ向けて発する開口が形成され、
前記スピーカー配置部の一部と前記音導パイプの一部、又は、前記音導パイプの各一部が耳介の外周部を挟んだ状態で耳に装着される
音響出力装置。
【請求項２】
前記開口が前記耳介の内側空間に位置される
請求項１に記載の音響出力装置。
【請求項３】
前記開口が耳甲介腔に位置される
請求項２に記載の音響出力装置。
【請求項４】
前記音導パイプの一部が前記耳介に接する耳宛面として形成され、
前記耳宛面が曲面状に形成された
請求項１に記載の音響出力装置。
【請求項５】
前記スピーカー配置部の一部が前記耳介に接触可能な当付面として形成され、
前記当付面が平面状に形成された
請求項１に記載の音響出力装置。
【請求項６】
前記音導パイプには前記スピーカー配置部に連続された結合ベース部と前記結合ベース部に着脱可能とされ前記開口を有する着脱部とが設けられた
請求項１に記載の音響出力装置。
【請求項７】
前記結合ベース部には、前記着脱部の前記結合ベース部への取付時に前記着脱部に差し込まれる差込部が設けられた
請求項６に記載の音響出力装置。
【請求項８】
前記着脱部が前記結合ベース部より硬度の低い材料によって形成された
請求項６に記載の音響出力装置。
【請求項９】
前記音導パイプが前記スピーカー配置部に対して弾性変形可能にされた
請求項１に記載の音響出力装置。
【請求項１０】
耳に装着された状態において前記音導パイプの先端部が耳に非接触の状態とされる
請求項１に記載の音響出力装置。
【請求項１１】
前記スピーカー配置部の少なくとも一部と前記音導パイプの少なくとも一部とが一体に形成された
請求項１に記載の音響出力装置。
【請求項１２】
前記スピーカー配置部と前記音導パイプと前記スピーカーがそれぞれ一対ずつ設けられた
請求項１に記載の音響出力装置。
【請求項１３】
前記スピーカー配置部には前記スピーカーに電力を供給する電池が配置された
請求項１に記載の音響出力装置。
【請求項１４】
前記スピーカー配置部に無線通信用の制御基板が配置された
請求項１に記載の音響出力装置。
【請求項１５】
耳介の両面にそれぞれ押し当てられる第１の押当部と第２の押当部が設けられ、
前記第１の押当部と前記第２の押当部が互いに離接する方向へ弾性変形可能にされた
請求項１に記載の音響出力装置。
【請求項１６】
長手方向が周方向になるように屈曲された装着部が設けられ、
前記装着部の長手方向における両端部に前記第１の押当部と前記第２の押当部が設けられた
請求項１５に記載の音響出力装置。
【発明の詳細な説明】
【技術分野】
【０００１】
本技術は内部にスピーカーが配置され耳に装着されて使用される音響出力装置についての技術分野に関する。
【背景技術】
【０００２】
頭部に装着されてヘッドホンやイヤホンとして使用されスピーカーから音声の出力が行われる音響出力装置がある。【０００３】
音響出力装置は、近年、室内で使用される態様の他に、室外で使用される態様も増加している。音響出力装置が室外で使用される場合には、使用者ばかりでなく使用者の周辺に存在する歩行者や運転者等の安全性をも考慮し、使用者において音響出力装置から出力される音声と外部の音声との双方の音声の聞き取りが可能とされていることが望ましい。【０００４】
このような音響出力装置から出力される音声と外部の音声との双方の音声の聞き取りが可能とされるタイプとして、各種の音響出力装置が開発されている（例えば、特許文献１及び特許文献２参照）。【０００５】
特許文献１に記載された音響出力装置にあっては、筐体（ハウジング）の内部に音声出力用のドライバーとして振動素子が配置され、振動素子に生じる振動が外耳道の周囲に存在する耳骨に伝達され、耳骨から頭蓋骨等を介して脳に伝達されて音声の認識が行われるように構成されている。【０００６】
この音響出力装置には筐体と振動子を貫通する貫通孔が形成されており、外部の音声が振動子の振動を遮ることなく貫通孔を通して使用者に伝達される。【０００７】
特許文献２に記載された音響出力装置にあっては、筐体が挿入部と伝達部材によって構成され、伝達部材の内部に音声出力用のドライバーとして電気音響変換素子と振動体が配置され、挿入部の内外において移動可能な栓が設けられている。挿入部には外部の音声の聞き取りを可能とする貫通孔が形成されている。【０００８】
この音響出力装置は、挿入部の一部が外耳道に挿入され、伝達部材が挿入部の前側において耳珠及び対耳珠に接した状態で耳に装着される。電気音響変換素子に生じる振動は振動体から伝達部材に伝達され、伝達された振動が耳骨から頭蓋骨等を介して脳に伝達されて音声の認識が行われる。外部の音声は栓と鼓膜の間の空間にまで振動して使用者に伝達され、このとき栓を移動させることにより外部の音声の聞こえ方を変化させることが可能とされている。
【先行技術文献】
【特許文献】
【０００９】
【特許文献１】特開２００４−２０８２２０号公報
【特許文献２】特開２０１４−９６７３９号公報
【発明の概要】
【発明が解決しようとする課題】
【００１０】
ところで、特許文献１に記載された音響出力装置は、軸状に形成されており、外耳道に挿入された状態で使用されるため、使用者の動きが大きい場合等には耳から脱落するおそれがある。【００１１】
一方、特許文献２に記載された音響出力装置は、軸状に形成された外耳道に挿入される部分と略半円弧状に形成され耳介の根元部分に装着される引掛部材とを有しており、引掛部材を有している分、特許文献１に記載された音響出力装置に比して装着状態の安定性が高くされている。【００１２】
しかしながら、引掛部材が上方から耳介の根元部分に引掛けられている状態であるため、特に、女性等の長髪の使用者においては毛髪が引掛部材と干渉し引掛部材が耳介の根元部分に引掛け難くなり、装着状態の十分な安定性が確保されないおそれがある。【００１３】
そこで、本技術音響出力装置は、上記した問題点を克服し、耳に対する安定した装着状態を確保することを目的とする。
【課題を解決するための手段】
【００１４】
第１に、本技術に係る音響出力装置は、音声を出力するスピーカーと、内部に前記スピーカーが配置されたスピーカー配置部と、一端部が前記スピーカー配置部に連続され内部空間が前記スピーカーから出力される音声を導く音導空間として形成された音導パイプとを備え、前記音導パイプの他端に音声を耳へ向けて発する開口が形成され、前記スピーカー配置部の一部と前記音導パイプの一部、又は、前記音導パイプの各一部が耳介の外周部を挟んだ状態で耳に装着されるものである。【００１５】
これにより、音導パイプとスピーカー配置部、又は、音導パイプによって耳介の外周部が挟まれることにより耳に装着される。【００１６】
第２に、上記した音響出力装置においては、前記開口が前記耳介の内側空間に位置されることが望ましい。【００１７】
これにより、開口が外耳道に近付いて位置される。【００１８】
第３に、上記した音響出力装置においては、前記開口が耳甲介腔に位置されることが望ましい。【００１９】
これにより、開口が外耳道に近付いて位置される。【００２０】
第４に、上記した音響出力装置においては、前記音導パイプの一部が前記耳介に接する耳宛面として形成され、前記耳宛面が曲面状に形成されることが望ましい。【００２１】
これにより、曲面状に形成された耳宛面が耳介に接した状態にされ、耳介に音導パイプから過度の負荷が付与されない。【００２２】
第５に、上記した音響出力装置においては、前記スピーカー配置部の一部が前記耳介に接触可能な当付面として形成され、前記当付面が平面状に形成されることが望ましい。【００２３】
これにより、平面状に形成された当付面が耳介に接した状態にされ、耳介に音導パイプから過度の負荷が付与されない。【００２４】
第６に、上記した音響出力装置においては、前記音導パイプには前記スピーカー配置部に連続された結合ベース部と前記結合ベース部に着脱可能とされ前記開口を有する着脱部とが設けられることが望ましい。【００２５】
これにより、音導パイプの開口を有する部分を耳の大きさや形状等に応じて取り替えることが可能になる。【００２６】
第７に、上記した音響出力装置においては、前記結合ベース部には、前記着脱部の前記結合ベース部への取付時に前記着脱部に差し込まれる差込部が設けられることが望ましい。【００２７】
これにより、差込部が着脱部に差し込まれることにより着脱部が結合ベース部に取り付けられる。【００２８】
第８に、上記した音響出力装置においては、前記着脱部が前記結合ベース部より硬度の低い材料によって形成されることが望ましい。【００２９】
これにより、着脱部が、万が一、耳介に接したときに耳介への負荷が小さい。【００３０】
第９に、上記した音響出力装置においては、前記音導パイプが前記スピーカー配置部に対して弾性変形可能にされることが望ましい。【００３１】
これにより、音導パイプをスピーカー配置部に対して弾性変形させて音響出力装置を耳に装着することが可能になる。【００３２】
第１０に、上記した音響出力装置においては、耳に装着された状態において前記音導パイプの先端部が耳に非接触の状態とされることが望ましい。【００３３】
これにより、音声が発せられる開口を有する部分が耳に接触されない状態になる。【００３４】
第１１に、上記した音響出力装置においては、前記スピーカー配置部の少なくとも一部と前記音導パイプの少なくとも一部とが一体に形成されることが望ましい。【００３５】
これにより、音響出力装置にスピーカー配置部と音導パイプが一体に形成された部分が存在する。【００３６】
第１２に、上記した音響出力装置においては、前記スピーカー配置部と前記音導パイプと前記スピーカーがそれぞれ一対ずつ設けられることが望ましい。【００３７】
これにより、音響出力装置がステレオタイプとして機能する。【００３８】
第１３に、上記した音響出力装置においては、前記スピーカー配置部には前記スピーカーに電力を供給する電池が配置されることが望ましい。【００３９】
これにより、外部機器からの電力の供給を行う必要がない。【００４０】
第１４に、上記した音響出力装置においては、前記スピーカー配置部に無線通信用の制御基板が配置されることが望ましい。【００４１】
これにより、コードによって外部機器と接続する必要がない。【００４２】
第１５に、上記した音響出力装置においては、耳介の両面にそれぞれ押し当てられる第１の押当部と第２の押当部が設けられ、前記第１の押当部と前記第２の押当部が互いに離接する方向へ弾性変形可能にされることが望ましい。【００４３】
これにより、耳に対する装着時及び取外時に装着部が弾性変形される。【００４４】
第１６に、上記した音響出力装置においては、長手方向が周方向になるように屈曲された装着部が設けられ、前記装着部の長手方向における両端部に前記第１の押当部と前記第２の押当部が設けられることが望ましい。【００４５】
これにより、弾性変形された状態で装着部の両端部がそれぞれ耳介の両面に押し当てられる。
【発明の効果】
【００４６】
本技術によれば、音導パイプとスピーカー配置部、又は、音導パイプによって耳介の外周部が挟まれることにより耳に装着されるため、耳に対する安定した装着状態を確保することができる。【００４７】
尚、本明細書に記載された効果はあくまでも例示であって限定されるものではなく、他の効果があってもよい。
【図面の簡単な説明】
【００４８】
【図１】図２乃至図１９と共に本技術音響出力装置の実施の形態を示すものであり、本図は、音響出力装置が装着される耳の斜視図である。
【図２】図１のＩＩ−ＩＩ線に沿う断面図である。
【図３】音響出力装置の斜視図である。
【図４】音響出力装置の分解斜視図である。
【図５】音響出力装置の断面図である。
【図６】音響出力装置が耳に装着された状態を示す斜視図である。
【図７】音響出力装置が耳に装着された状態を図６とは異なる角度から見た状態で示す斜視図である。
【図８】音響出力装置が耳に装着され音導パイプの開口が外耳孔付近に位置された状態を一部を断面にして示す正面図である。
【図９】音響出力装置が耳に装着され音導パイプの開口が耳甲介腔に位置された状態を一部を断面にして示す正面図である。
【図１０】音響出力装置の別の例を示す断面図である。
【図１１】音響出力装置のまた別の例を示す断面図である。
【図１２】別の音響出力装置の斜視図である。
【図１３】別の音響出力装置の分解斜視図である。
【図１４】別の音響出力装置を図１３とは異なる方向から見た状態で示す分解斜視図である。
【図１５】別の音響出力装置の断面図である。
【図１６】別の音響出力装置が弾性変形される前の状態を示す側面図である。
【図１７】別の音響出力装置が装着された状態を示す側面図である。
【図１８】別の音響出力装置が電子機器に取り付けられた状態を示す斜視図である。
【図１９】音響出力装置が電子機器に取り付けられた状態を示す側面図である。
【発明を実施するための形態】
【００４９】
以下に、本技術音響出力装置を実施するための形態を添付図面に従って説明する。
【００５０】
以下に示した実施の形態は、本技術音響出力装置をイヤホンに適用したものである。但し、本技術の適用範囲はイヤホンに限られることはなく、ヘッドホン等の他の各種の音響出力装置に広く適用することができる。
【００５１】
＜耳の構造＞
先ず、音響出力装置が装着される耳の構造について説明する（図１及び図２参照）。
【００５２】
耳１００、１００は頭部２００の一部とされており、それぞれ耳介１０１と頭部２００の内部に存在する鼓膜や三半規管や蝸牛等の各部とから成る。頭部２００のうち耳介１０１の内側の部分はそれぞれ側頭部２０１、２０１であり、耳介１０１は側頭部２０１、２０１から左方又は右方に突出されている。
【００５３】
耳介１０１は内側空間１５０を有するように全体として略前方に開口された浅い凹状にされ、外周部が耳輪１０２と称される部分と耳輪１０２に連続され側頭部２０１の近傍に位置された耳輪脚１０３と称される部分とを有している。
【００５４】
耳輪１０２の内側の部分は凹状の舟状窩１０４と称され、舟状窩１０４の内側における下側略半分の部分は凸状の対耳輪１０５と称される。対耳輪１０５の上方には対耳輪１０５に連続して二股状の凸状の部分が存在し、この二股状の部分のうちの外側の部分と内側の部分がそれぞれ対耳輪上脚１０６と対耳輪下脚１０７と称される。対耳輪上脚１０６と対耳輪下脚１０７の間の部分は凹状の三角窩１０８と称され、対耳輪１０５及び対耳輪下脚１０７の内側の部分は凹状の耳甲介艇１０９と称される。
【００５５】
対耳輪１０５の下側に連続する部分は側頭部２０１側に稍膨出され、対耳珠１１０と称される部分である。対耳珠１１０に対向する側頭部２０１側の部分は対耳珠１１０側に稍膨出された耳珠１１１と称され、耳輪１０２の下側に連続する下端部が耳垂１１２と称される。
【００５６】
対耳珠１１０と耳珠１１１の間の部分には外耳道１１３の入口である外耳孔１１３ａが存在し、外耳道１１３は鼓膜や三半規管等に連通されている。耳介１０１の内側空間１５０のうち、対耳輪１０５と対耳輪下脚１０７と耳輪脚１０３によって囲まれた空間、即ち、耳甲介艇１０９の前側の空間は耳甲介腔１１４と称され、外耳道１１３の外耳孔１１３ａに連通されている。内側空間１５０のうち耳甲介腔１１４の下側に連続しＵ字状に開いた空間は珠間切痕１１５と称される空間である。
【００５７】
耳介１０１の内側空間１５０は耳甲介腔１１４と珠間切痕１１５と外耳道１１３の外耳孔１１３ａ付近の空間とを含み、舟状窩１０４、対耳輪１０５、対耳輪上脚１０６、対耳輪下脚１０７、三角窩１０８、対耳珠１１０及び耳珠１１１の前側の空間をも含む空間である。
【００５８】
＜音響出力装置の概略構成＞
次に、音響出力装置１、１の構成について説明する（図３乃至図５参照）。音響出力装置１、１は一方が左の耳１００用として使用され他方が右の耳１００用として使用される。但し、何れか一方の音響出力装置１を使用して音声の聞き取りを行ってもよい。
【００５９】
音響出力装置１はスピーカー配置部２と音導パイプ３を有している。
【００６０】
スピーカー配置部２はケース部４とカバー部５が結合されて構成されている。
【００６１】
ケース部４は、例えば、樹脂材料によって略半球状に形成され、内部の空間がケース側凹部４ａとして形成されている。ケース部４にはコード挿通孔４ｂが形成されている。
【００６２】
カバー部５は、例えば、樹脂材料によって浅い椀状に形成され、内部の空間がカバー側凹部５ａとして形成されている。カバー部５は円板状のベース面部６とベース面部６の外周部から突出された円筒状の結合部７とから成り、ベース面部６と結合部７の連続部分が外方に凸の緩やかな曲面状に形成されている。ベース面部６の外面（表面）は平面状の当付面６ａとして形成され、ベース面部６と結合部７の連続部分における外面は外方に凸の曲面５ｂとして形成されている。
【００６３】
ケース部４とカバー部５はケース側凹部４ａとカバー側凹部５ａが向き合う状態で結合されている。ケース部４とカバー部５が結合されることによりスピーカー配置部２が構成され、スピーカー配置部２の内部に配置空間２ａが形成される。
【００６４】
スピーカー配置部２の配置空間２ａにはスピーカー８が配置されている。スピーカー８としては、例えば、ダイナミック型のドライバーユニットが用いられている。スピーカー８にはコード９の一端部が接続され、コード９はケース部４のコード挿通孔４ｂから外部に導出されている。コード９の中間部には、例えば、図示しないリモコン装置が接続されており、リモコン装置の操作によってスピーカー８から出力される音声の種類の変更や音量の変更等を行うことが可能にされている。
【００６５】
尚、左の耳１００用の音響出力装置１から導出されたコード９と右の耳１００用の音響出力装置１から導出されたコード９とは、何れも中間部が同一のリモコン装置に接続されている。
【００６６】
コード９の他端部は音声（音声信号）の発生源として用いられる音楽プレーヤー等の図示しない外部機器に接続される。従って、外部機器から出力される音声信号がコード９を介してスピーカー８に伝達され、スピーカー８から音声の出力が行われる。また、コード９を介して外部機器からスピーカー８に電力が供給され、スピーカー８の駆動が可能とされている。
【００６７】
音導パイプ３は結合ベース部１０と着脱部１１によって構成されている。音導パイプ３は扁平な略角筒状に形成され、内部の空間が音導空間３ａとして形成されている。音導空間３ａはスピーカー配置部２の配置空間２ａに連通されている。
【００６８】
結合ベース部１０は、例えば、樹脂材料によって形成され、第１のハーフ１２と第２のハーフ１３が結合されて成る。結合ベース部１０は略半円弧状に形成され、第１のハーフ１２が内周側に位置され第２のハーフ１３が外周側に位置されている。結合ベース部１０は、例えば、第１のハーフ１２がスピーカー配置部２のカバー部５と一体に形成され、第１のハーフ１２の長手方向における一端がカバー部５の曲面５ｂに連続されている。
【００６９】
尚、結合ベース部１０は第２のハーフ１３がカバー部５と一体に形成されていてもよく、また、全体がカバー部５と一体に形成されていてもよい。また、結合ベース部１０は少なくとも一部がカバー部５と一体に形成されていてもよい。
【００７０】
このようにスピーカー配置部２の少なくとも一部と音導パイプ３の少なくとも一部とが一体に形成されることにより、音響出力装置１にスピーカー配置部２と音導パイプ３が一体に形成された部分が存在し、スピーカー配置部２と音導パイプ３の強度の向上及び音響出力装置１の部品点数の削減を図ることができる。
【００７１】
結合ベース部１０は長手方向においてカバー部５に連続された側と反対側の端部に差込部１０ａが設けられている。差込部１０ａは結合ベース部１０の他の部分より一回り小さい筒状に形成されている。
【００７２】
着脱部１１は結合ベース部１０より硬度の低い材料、例えば、エラストマー等のゴム材料によって形成され、緩やかに湾曲された略角筒状に形成されている。着脱部１１は長手方向における一端部の内周が他の部分の内周より径が稍大きくされ、この一端部が連結部１１ａとして設けられている。着脱部１１は結合ベース部１０に対して着脱可能にされ、連結部１１ａが差込部１０ａに外嵌されることにより結合ベース部１０に結合される。着脱部１１の連結部１１ａと反対側の端部における開口１１ｂは、スピーカー８から発せられ音導空間３ａを導かれた音声が出力される音声出力口として形成されている。
【００７３】
着脱部１１が結合ベース部１０に結合された状態において、着脱部１１はスピーカー配置部２側に凸の湾曲状態にされる。
【００７４】
音導パイプ３はスピーカー配置部２側を向く面の一部が耳介１０１に接触される耳宛面３ｂとして形成され、耳宛面３ｂが曲面状に形成されている。耳宛面３ｂは、結合ベース部１０の一部でもよく、着脱部１１の一部でもよく、また、結合ベース部１０と着脱部１１に跨がる部分でもよい。
【００７５】
音導パイプ３はスピーカー配置部２に対して耳宛面３ｂがスピーカー配置部２に離接する方向へ弾性変形可能にされている。
【００７６】
尚、上記には、音導パイプ３が結合ベース部１０と着脱部１１によって構成された例を示したが、音導パイプは結合ベース部のみによって構成されていてもよい。この場合には結合ベース部における先端の開口が音声出力口として形成される。
【００７７】
＜音響出力装置の耳に対する装着状態＞
以下に、音響出力装置１の耳１００に対する装着状態について説明する（図６乃至図９参照）。
【００７８】
音響出力装置１は、スピーカー配置部２の一部と音導パイプ３の一部とが耳介１０１の外周部、例えば、耳輪１０２を前後から挟んだ状態で耳１００に装着される（図６及び図７参照）。音響出力装置１が耳１００に装着された状態においては、スピーカー配置部２の当付面６ａと音導パイプ３の耳宛面３ｂとが耳１００に接した状態にされる。
【００７９】
このとき音導パイプ３の耳宛面３ｂが曲面状に形成されているため、曲面状に形成された耳宛面３ｂが耳介１０１に接した状態にされ、耳介１０１に音導パイプ３から過度の負荷が付与されず、耳介１０１に対する音響出力装置１の良好な装着状態を確保することができる。
【００８０】
また、スピーカー配置部２の当付面６ａが平面状に形成されているため、平面状に形成された当付面６ａが耳介１０１に接した状態にされ、耳介１０１に音導パイプ３から過度の負荷が付与されず、耳介１０１に対する音響出力装置１の良好な装着状態を確保することができる。
【００８１】
尚、上記には、耳宛面３ｂが曲面状に形成され当付面６ａが平面状に形成された例を示したが、耳宛面は平面状に形成されていてもよく、当付面は曲面状に形成されていてもよい。
【００８２】
音響出力装置１は音導パイプ３がスピーカー配置部２に対して弾性変形可能にされているため、音響出力装置１の耳１００への装着時には、音導パイプ３をスピーカー配置部２に対して弾性変形させてスピーカー配置部２の当付面６ａと音導パイプ３の耳宛面３ｂとの間の隙間を大きくした状態で音響出力装置１を耳１００に装着することが可能になり、音響出力装置１の耳１００への装着を容易に行うことができる。
【００８３】
また、音響出力装置１は、音導パイプ３がスピーカー配置部２に対して弾性変形されて当付面６ａと耳宛面３ｂとの間の隙間が耳１００に装着される前の状態における隙間より大きくされた状態で耳１００に装着される。
【００８４】
従って、スピーカー配置部２と音導パイプ３には互いに近付く方向への力が付与されるため、音響出力装置１は、スピーカー配置部２と音導パイプ３が耳介１０１に押し付けられた状態で耳１００に装着され、音響出力装置１を耳１００に安定した状態で装着することができる。
【００８５】
上記のように音響出力装置１が耳１００に装着された状態において、着脱部１１は先端部が耳介１０１に非接触の状態で耳介１０１の内側空間１５０に位置される（図８参照）。着脱部１１は外耳孔１１３ａの全体を塞がない状態にされ、開口１１ｂが外耳孔１１３ａ付近に位置される。
【００８６】
このように音響出力装置１が耳１００に装着された状態において、音導パイプ３の開口１１ｂが耳介１０１の内側空間１５０に位置されるため、開口１１ｂが外耳道１１３に近付いて位置され、スピーカー８から出力される音声と外部の音声との良好な認識性を確保することができる。
【００８７】
また、音響出力装置１は耳１００に装着された状態において音導パイプ３の開口１１ｂを有する部分が耳１００に非接触の状態とされるため、音声が発せられる開口１１ｂを有する部分が耳１００に接触されない状態になる。
【００８８】
従って、音響出力装置１から出力される音声と外部の音声との良好な認識性を確保することができると共に耳１００に対する装着状態における違和感の発生を低減することができる。
【００８９】
さらに、音響出力装置１が耳１００に装着された状態において、開口１１ｂが外耳孔１１３ａ付近に位置されるため、音導パイプ３を導かれた音声が開口１１ｂから外耳道１１３へ向けて発せられ、音声を良好に聞き取ることができる。
【００９０】
尚、音響出力装置１が耳１００に装着された状態において、音導パイプ３の開口１１ｂが耳甲介腔１１４に位置されていてもよい（図９参照）。
【００９１】
この場合にも音導パイプ３の開口１１ｂが外耳道１１３に近付いて位置されるため、スピーカー８から出力される音声と外部の音声との良好な認識性を確保することができる。
【００９２】
また、着脱部１１の開口１１ｂは外耳道１１３又は耳甲介腔１１４に位置されていなくてもよく、耳介１０１の内側空間１５０に位置されていれば外耳道１１３及び耳甲介腔１１４から離れて位置されていてもよい。
【００９３】
尚、使用者の耳１００の形状や大きさによっては、着脱部１１の開口１１ｂが耳介１０１の内側空間１５０の外側に位置されていてもよい。
【００９４】
音響出力装置１が耳１００に装着された状態において、耳介１０１の前側にスピーカー配置部２の内部に配置されたスピーカー８等の構造物が存在しないため、耳介１０１の前側に存在する構造物が小さく、頭部伝達関数への影響が抑制されて空間知覚能力の低下を抑制することができる。
【００９５】
また、音導パイプ３の開口１１ｂを有する部分は音導パイプ３の結合ベース部１０に対して着脱可能な着脱部１１として設けられている。従って、音導パイプ３の開口１１ｂを有する部分を耳１００の大きさや形状等に応じて取り替えることが可能になり、耳１００の大きさや形状等に拘わらず音声の良好な聞取状態を確保することができる。
【００９６】
例えば、着脱部１１を長さの異なるものに取り替えることにより、音響出力装置１が耳１００に装着された状態において開口１１ｂを所望の位置に位置させることが可能になり、音響出力装置１の使い勝手の向上を図ることができる。
【００９７】
さらに、結合ベース部１０には着脱部１１の取付時に着脱部１１に差し込まれる差込部１０ａが設けられているため、差込部１０ａが着脱部１１に差し込まれることにより着脱部１１が結合ベース部１０に取り付けられ、着脱部１１の結合ベース部１０に対する取付作業を迅速かつ容易に行うことができる。
【００９８】
さらにまた、着脱部１１が結合ベース部１０より硬度の低い材料によって形成されているため、着脱部１１が、万が一、耳介１０１に接したときに耳介１０１への負荷が小さく、耳介１０１を保護することができる。
【００９９】
尚、着脱部１１は変形（屈曲）可能であり変形された状態が保持される材料（フレキシブルナ材料）によって形成されていてもよい。着脱部１１がこのような材料によって形成されることにより、音響出力装置１が耳１００に装着された状態において、着脱部１１を所望の状態に変形させて、例えば、開口１１ｂを外耳道１１３に近付けたりすることや、開口１１ｂから発せられる音声の向きを必要に応じて変更することが可能になる。
【０１００】
また、結合ベース部１０と着脱部１１の双方が変形（屈曲）可能であり変形された状態が保持される材料によって形成されていてもよい。結合ベース部１０と着脱部１１がこのような材料によって形成されることにより、音響出力装置１が耳１００に装着された状態において、音導パイプ３を所望の状態に変形させて、例えば、開口１１ｂを外耳道１１３に近付けたりすることや、開口１１ｂから発せられる音声の向きを必要に応じて変更することが可能になる。
【０１０１】
さらに、音導パイプ３の耳１００への装着時に耳１００の形や大きさに応じて音導パイプ３を変形することが可能になるため、音響出力装置１の耳１００への安定した装着状態を確保することができる。
【０１０２】
加えて、一対の音響出力装置１、１を使用する場合には、音響出力装置１、１がステレオタイプとして機能し、音響出力装置１、１の機能性の向上が図られ良質の音声を聞き取ることができる。また、左右の耳１００、１００に対して重量的に良好なバランスが確保され、音響出力装置１、１を安定した状態で左右の耳１００、１００に装着することができる。
【０１０３】
尚、使用者によっては耳１００の形状や厚みにより、音響出力装置１が装着された状態においてスピーカー配置部２と音導パイプ３が耳介１０１を十分な圧力で挟めない可能性もあるが、この場合には、例えば、補助カバー１４をスピーカー配置部２の一部に取り付けて使用することも可能である（図５参照）。
【０１０４】
補助カバー１４は、例えば、エラストマー等のゴム材料によって形成され、伸縮可能とされスピーカー配置部２に対する密着性が高くされている。補助カバー１４は、例えば、略半球状に形成され、スピーカー配置部２におけるコード挿通孔４ｂが形成されていない部分に取り付けられる。補助カバー１４にはエアー抜き孔１４ａが形成されている。補助カバー１４のスピーカー配置部２への取付時にはスピーカー配置部２と補助カバー１４の間に存在する空気がエアー抜き孔１４ａから排出され、補助カバー１４のスピーカー配置部２に対する良好な密着性が確保される。
【０１０５】
スピーカー配置部２に補助カバー１４が取り付けられることにより、補助カバー１４の厚み分によりスピーカー配置部２の当付面６ａと音導パイプ３の耳宛面３ｂとの間の隙間が小さくなり、音響出力装置１が装着された状態において耳介１０１がスピーカー配置部２と音導パイプ３によって十分な圧力で挟まれ、音響出力装置１の耳１００への安定した装着状態を確保することができる。
【０１０６】
＜まとめ＞
以上に記載した通り、音響出力装置１にあっては、音導パイプ３の先端に音声を耳１００へ向けて発する開口１１ｂが形成され、スピーカー配置部２と音導パイプ３の各一部が耳介１０１の外周部を挟んだ状態で耳１００に装着される。
【０１０７】
従って、スピーカー配置部２の一部と音導パイプ３の一部とによって耳介１０１の外周部が挟まれることにより耳１００に音響出力装置１が装着されるため、耳１００に対する安定した装着状態を確保することができる。
【０１０８】
特に、音響出力装置１の一部を側頭部２０１と耳介１０１の境界部分である耳介１０１の根元部分に引掛けて装着する必要がないため、女性等の長髪の使用者において毛髪が音響出力装置１と干渉することがなく、使用者の毛髪の長さに拘わらず安定した装着状態を確保することができる。
【０１０９】
また、ピアス等のアクセサリーを耳１００に装着している場合においても、アクセサリーの装着部分、例えば、耳垂１１２以外の位置に音響出力装置１を装着することができ、使い勝手の向上を図った上で安定した装着状態を確保することができる。
【０１１０】
尚、上記には、スピーカー配置部２と音導パイプ３の各一部が耳介１０１の外周部を挟んだ状態で音響出力装置１が耳１００に装着される例を示したが、音導パイプ３の各一部が耳介１０１の外周部を挟んだ状態で音響出力装置１が耳１００に装着されてもよい。
【０１１１】
＜音響出力装置の他の例＞
以下に、無線通信によって音楽プレーヤー等の外部機器からの音声信号を受信する音響出力装置１Ａ、１Ｂ、１Ｃについて説明する。
【０１１２】
尚、音響出力装置１Ａ、１Ｂ、１Ｃは、上記した音響出力装置１と比較して、スピーカー配置部の内部に配置された構成が異なることが相違するため、音響出力装置１と比較して異なる部分についてのみ詳細に説明をし、その他の部分については音響出力装置１における同様の部分に付した符号と同じ符号を付して説明は省略する。
【０１１３】
先ず、音響出力装置１Ａについて説明する（図１０参照）。
【０１１４】
左の耳１００用の音響出力装置１Ａと右の耳１００用の音響出力装置１Ａは同様の構成にされている。
【０１１５】
音響出力装置１Ａにおいて、スピーカー配置部２の内部にはスピーカー８と電池（バッテリー）１３が配置されている。電池１５は使い捨てタイプであってもよく充電可能なタイプであってもよい。特に、電池１５が使い捨てタイプである場合には、スピーカー配置部２の一部が開閉可能とされ、電池１５の交換が可能な構成にされていることが望ましい。また、電池１５が充電可能なタイプである場合にもスピーカー配置部２の一部が開閉可能とされ、電池１５の交換が可能とされていてもよい。
【０１１６】
スピーカー配置部２の内部にはスピーカー８及び電池１５とともに制御基板１６が配置され、制御基板１６にはスピーカー８を動作させる駆動回路や無線通信用の通信用回路が形成されている。従って、音響出力装置１Ａは無線通信によって音楽プレーヤー等の外部機器からの音声信号を受信し、受信した音声信号を変換してスピーカー８から音声として出力することや、音楽プレーヤーとの接続認証等のペアリング処理が可能とされている。音声信号を受信するための無線通信としては、例えば、ブルートゥース（Bluetooth）（登録商標）やＷiＦi（Wireless Fidelity）（登録商標）、接続認証等のペアリング処理用の無線通信としてのＮＦＣ（Near Field Communication）等の近距離無線通信に対応したものであってもよい。
【０１１７】
電池１５の電力はスピーカー８と制御基板１６に供給されてスピーカー８と制御基板１６が動作される。
【０１１８】
音響出力装置１Ａにおいては、制御基板１６における通信用回路の無線通信によって音声信号が受信され、受信した音声信号がスピーカー８に送信される。音声信号は音声に変換されてスピーカー８から出力される。
【０１１９】
次に、音響出力装置１Ｂと音響出力装置１Ｃについて説明する（図１１参照）。
【０１２０】
音響出力装置１Ｂと音響出力装置１Ｃは、一方が左の耳１００用の音響出力装置であり、他方が右の耳１００用の音響出力装置である。音響出力装置１Ｂと音響出力装置１Ｃはスピーカー配置部２、２の内部に配置された構成が異なる。
【０１２１】
音響出力装置１Ｂにおけるスピーカー配置部２の内部にはスピーカー８と電池１５と中継基板１７が配置され、音響出力装置１Ｃにおけるスピーカー配置部２の内部にはスピーカー８と制御基板１６が配置されている。
【０１２２】
音響出力装置１Ｂの中継基板１７と音響出力装置１Ｃの制御基板１６とはケーブル（コード）１８によって接続されている。電池１５の電力は音響出力装置１Ｂのスピーカー８と中継基板１７に供給され、中継基板１７からケーブル１８を介して音響出力装置１Ｃの制御基板１６とスピーカー８にも供給される。また、制御基板１６における通信用回路の無線通信によって受信した音声信号は、音響出力装置１Ｃのスピーカー８に送信されると共にケーブル１８及び中継基板１７を介して音響出力装置１Ｂのスピーカー８に送信される。受信した音声信号は音声に変換されてそれぞれスピーカー８、８から出力される。
【０１２３】
上記のように、音響出力装置１Ａ、１Ｂ、１Ｃにあっては、無線通信により音声信号の受信が行われるため、コード９によって外部機器と接続する必要がなく、利便性及び使い勝手の向上を図ることができる。
【０１２４】
また、音響出力装置１Ａにあっては、コード９等の接続線が接続されていないため、持ち運びや収納が容易であると共に耳１００への装着時における接続線の垂れ下がりが生じることがなく、非使用時における携帯性及び収納性の向上を図ることができると共に耳１００に対する良好な装着状態を確保することができる。
【０１２５】
さらに、音響出力装置１Ａ、１Ｂにあっては、スピーカー配置部２に電池１３が配置されているため、外部機器からの電力の供給を行う必要がなく、使い勝手の向上を図ることができる。
【０１２６】
さらにまた、音響出力装置１Ｂ、１Ｃにあっては、一方の音響出力装置１Ｂにのみ電池１５が配置されているため、音響出力装置１Ｂ、１Ｃの全体として軽量化を図ることができると共に内部構造の簡素化を図ることができる。
【０１２７】
また、音響出力装置１Ｃにおいては、上記のように軽量化が図られるため、耳１００に装着された状態において耳１００に過度の負荷が付与されず、耳１００への違和感のない良好な装着状態を確保することができる。
【０１２８】
＜別の音響出力装置等＞
以下に、別の音響出力装置について説明する（図１２乃至図１８参照）。
【０１２９】
別の音響出力装置７１、７１は一方が左の耳１００用として使用され他方が右の耳１００用として使用される。但し、何れか一方の音響出力装置７１を使用して音声の聞き取りを行ってもよい。
【０１３０】
音響出力装置７１は装着部７２とスピーカー７３を有している。
【０１３１】
装着部７２は長手方向が周方向になるように屈曲された形状に形成され、全体として周方向に延びる形状に形成されている。装着部７２は外面が外方に凸の曲面に形成されている。
【０１３２】
装着部７２は筐体７４と着脱体７５と接続部材７６が結合されて構成されている。
【０１３３】
装着部７２は長手方向における一端部がスピーカー配置部７７として設けられ、長手方向における他端部が音声出力部７８として設けられ、スピーカー配置部７７と音声出力部７８の間の部分が中間部７９として設けられている。
【０１３４】
筐体７４は、例えば、樹脂材料によって形成され、一部がスピーカー配置部７７として機能し他の部分が中間部７９として機能する。筐体７４は第１の部材８０と第２の部材８１が結合されて構成されている（図１３乃至図１５参照）。第１の部材８０と第２の部材８１は、長手方向に直交する方向において結合されることにより筐体７４を構成する。
【０１３５】
第１の部材８０は略円弧状に形成されたベース部８２とベース部８２の長手方向における一端に連続された配置部８３とベース部８２の長手方向における他端に連続された連結部８４とから成る。ベース部８２には長手方向に延びる溝部８２ａが形成されている。配置部８３には溝部８２ａに連続して配置凹部８３ａが形成されている。連結部８４は円筒状に形成され、内部空間が溝部８３ａに連続された音声用孔８４ａとして形成されている。
【０１３６】
配置部８３の外面側には浅い取付凹部８３ｂが形成されている。配置部８３には取付凹部８３ｂと配置凹部８３ａに連通されたコード挿入孔８３ｃが形成されている。
【０１３７】
第２の部材８１は略円弧状に形成されたベース部８５とベース部８５の長手方向における一端に連続された配置部８６とから成る。ベース部８５には長手方向に延びる溝部８５ａが形成されている。配置部８６には溝部８５ａに連続して配置凹部８６ａが形成されている。
【０１３８】
第１の部材８０と第２の部材８１は、例えば、接着によってベース部８２とベース部８５が結合されると共に配置部８３と配置部８６が結合される。第１の部材８０と第２の部材８１が結合された状態においては、溝部８２ａと溝部８５ａによって音導空間８７が形成され、配置凹部８３ａと配置凹部８６ａによって配置空間８８が形成される。
【０１３９】
第１の部材８０と第２の部材８１が結合されて筐体７４が構成された状態において、配置空間８８にスピーカー７３が配置される。スピーカー７３としては、例えば、ダイナミック型のドライバーユニットが用いられている。尚、配置空間８８にはスピーカー７３の他に、スピーカー７３に電力を供給するための電池（バッテリー）やスピーカー７３を制御する制御基板等が配置されてもよい。
【０１４０】
着脱体７５は、例えば、シリコンやゴム材料によって形成され、内部に音声用孔８９が形成されている（図１５参照）。音声用孔８９は一端が音声出力用の開口８９ａとして形成されている。着脱体７５は音声用孔８９の延びる方向が長手方向にされ、長手方向における略半分の部分が結合部９０として設けられ、他の略半分の部分が先端部９１として設けられている。結合部９０は中間部７９の一部として機能し、先端部９１は音声出力部７８として機能する。
【０１４１】
着脱体７５は結合部９０の内周部が外嵌部９０ａとして設けられ、外嵌部９０ａが着脱体７５の他の部分より硬度の高い材料によって形成されている。着脱体７５は筐体７４に着脱可能にされ、外嵌部９０ａが連結部８４に外嵌されることにより筐体７４に連結される。
【０１４２】
装着部７２は筐体７４のスピーカー配置部７７と着脱体７５の先端部９１とが対向した状態に構成されており、スピーカー配置部７７の先端部９１に対向する部分が第１の押当部９２として設けられ、先端部９１のスピーカー配置部７７に対向する部分が第２の押当部９３として設けられ、第１の押当部９２と第２の押当部９３の間には隙間Ａが形成されている。第１の押当部９２と第２の押当部９３は音響出力装置７１が耳１００に装着された状態においてそれぞれ耳介１０１の両面に押し当てられる部分である。第１の押当部９２と第２の押当部９３の表面は外方に凸の緩やかな曲面に形成されている。
【０１４３】
また、装着部７２は長手方向における両端部以外の部分が中間部７９として設けられ、長手方向における一端間の隙間Ａが中間部７９の内周における２点を結ぶ距離のうちの最大の距離Ｈより小さくされている。
【０１４４】
装着部７２は第１の押当部９２と第２の押当部９３が互いに離接する方向へ弾性変形可能にされている。
【０１４５】
接続部材７６は被取付板部９４と被取付板部９４から突出されたコード挿通部９５とから成る（図１２乃至図１４参照）。接続部材７６にはコード挿通部９５と被取付板部９４の間で貫通されたコード挿通孔５ａが形成されている。接続部材７６は被取付板部９４が取付凹部８３ｂに挿入された状態で筐体７４に接着等により取り付けられる。接続部材７６が筐体７４に取り付けられた状態においては、コード挿通孔５ａがコード挿入孔８３ｃに連通される。
【０１４６】
筐体７４には連結部８４を除いた部分がカバー９６によって覆われ、カバー９６は筐体７４の外面に密着される。カバー９６は弾性変形可能なシリコンやゴム材料によって形成され、厚みが薄くされ袋状に形成されている。カバー９６の一端面には開口部９６ａが形成されている。カバー９６には配置孔９６ｂが形成されている。
【０１４７】
カバー９６によって筐体７４が覆われた状態においては、カバー９６が筐体７４の外面に密着され、開口部９６ａが連結部８４とベース部８２の境界部分に位置され、配置孔９６ｂに接続部材７６が配置された状態にされる。従って、筐体７４は連結部８４が開口部９６ａから突出され、接続部材７６はコード挿通部９５が配置孔９６ｂから突出された状態にされる。
【０１４８】
接続部材７６のコード挿通孔７６ａと筐体７４のコード挿入孔８３ｃにはコード９７が挿入され、コード９７の一端部が制御基板又はスピーカー７３に接続される。コード９７の中間部分には、例えば、図示しないリモコン装置が接続されており、リモコン装置の操作によってスピーカー７３から出力される音声の種類の変更や音量の変更等を行うことが可能にされている。
【０１４９】
尚、左の耳１００用の音響出力装置７１から導出されたコード９７と右の耳１００用の音響出力装置７１から導出されたコード９７とは、何れも中間部分が同一のリモコン装置に接続されている。
【０１５０】
コード９７の他端部は音声（音声信号）の発生源として用いられる音楽プレーヤー等の図示しない外部機器に接続される。従って、外部機器から出力される音声信号がコード９７を介してスピーカー７３に伝達され、スピーカー７３から音声の出力が行われる。また、コード９７を介して外部機器からスピーカー７３に電力が供給され、スピーカー７３の駆動が可能とされている。
【０１５１】
上記のような音響出力装置７１は、音響出力装置１等と同様に、耳介１０１の外周部、例えば、耳輪１０２を前後から挟んだ状態で耳１００に装着される。
【０１５２】
音響出力装置７１が耳１００に装着されるときに、耳輪１０２は、第１の押当部９２と第２の押当部９３が離隔する方向へ弾性変形された状態（図１６参照）で第１の押当部９２と第２の押当部９３の間に相対的に挿入され、耳輪１０２が挿入された状態において音響出力装置７１が弾性復帰されて耳１００に装着される（図１７参照）。音響出力装置７１が耳１００に装着された状態においては、装着部７２の第１の押当部９２と第２の押当部９３がそれぞれ耳介１０１の両面に接して押し当てられた状態にされる。
【０１５３】
尚、第１の押当部９２はカバー９６によって覆われているため、装着部７２は第１の押当部９２がカバー９６を介して耳介１０１に押し当てられて接した状態にされる。
【０１５４】
第１の押当部９２は耳介１０１の後面に接し第２の押当部９３は耳介１０１の前面に接した状態にされる。従って、スピーカー配置部７７に配置されたスピーカー７３は耳介１０１の後側に位置される。
【０１５５】
尚、上記には、第１の押当部９２と第２の押当部９３の表面が曲面に形成された例を示したが、第１の押当部９２と第２の押当部９３の表面の少なくとも一方が平面に形成されていてもよい。
【０１５６】
一方、音響出力装置７１の耳１００からの取り外しは、第１の押当部９２と第２の押当部９３が離隔する方向へ音響出力装置７１を弾性変形させ音響出力装置７１を耳介１０１から離隔させることにより行うことができる。
【０１５７】
上記したように、装着部７２は長手方向が周方向になるように屈曲された形状に形成され、長手方向における両端間に隙間Ａが形成され、装着部７２は長手方向における両端部が互いに離接する方向へ弾性変形可能にされている。
【０１５８】
従って、耳１００に対する装着時及び取外時に装着部７２が弾性変形されるため、耳１００に対する装着及び取外を容易に行うことができると共に耳１００に対する安定した装着状態を確保することができる。
【０１５９】
また、音響出力装置７１にあっては、装着部７２の両端部にそれぞれ第１の押当部９２と第２の押当部９３が設けられているため、装着部７２の両端部がそれぞれ耳介１０１の両面に押し当てられる。
【０１６０】
従って、耳介１０１に押し当てられる部分が装着部７２の両端部になり、第１の押当部９２から第２の押当部９３までの長さが音響出力装置７１の全長になり、音響出力装置７１の小型化を確保した上で耳１００に対する安定した装着状態を確保することができる。
【０１６１】
さらに、装着部７２における両端部以外の部分が中間部７９として設けられ、長手方向における一端間の隙間Ａが中間部７９の内周における２点を結ぶ距離のうちの最大の距離Ｈより小さくされている。
【０１６２】
従って、音響出力装置７１が耳１００に装着された状態において中間部７９が耳介１０１に接触し難く、耳１００に対して中間部７９からの負荷を生じることなく音響出力装置７１を耳１００に装着することができる。
【０１６３】
さらにまた、装着部７２の外面が曲面に形成されているため、音響出力装置７１は曲面が押し当てられた状態で耳１００に装着されるため、耳１００に対する良好な装着状態を確保することができる。
【０１６４】
上記のように音響出力装置７１が耳１００に装着された状態において、着脱体７５は先端部が耳介１０１に非接触の状態で耳介１０１の内側空間１５０に位置される。着脱体７５は外耳孔１１３ａの全体を塞がない状態にされ、開口８９ａが外耳孔１１３ａ付近に位置される。
【０１６５】
尚、開口８９ａを有する着脱体７５は、筐体７４の連結部８４に対して着脱可能にされている。従って、着脱体７５を耳１００の大きさや形状等に応じて取り替えることが可能になり、耳１００の大きさや形状等に拘わらず音声の良好な聞取状態を確保することができる。
【０１６６】
例えば、着脱体７５を長さの異なるものに取り替えることにより、音響出力装置７１が耳１００に装着された状態において開口８９ａを所望の位置に位置させることが可能になり、音響出力装置７１の使い勝手の向上を図ることができる。
【０１６７】
また、音響出力装置７１には着脱体７５の連結時に着脱体７５に挿入される連結部８４が設けられているため、連結部８４が着脱体７５に挿入されることにより着脱体７５が連結部８４に連結され、着脱体７５の連結部８４に対する連結作業を迅速かつ容易に行うことができる。
【０１６８】
さらに、装着部７２にカバー９６が取り付けられることにより、カバー９６の厚み分によりカバー９６と第２の押当部９３の間の隙間が隙間Ａより小さくなり、音響出力装置７１が装着された状態において耳介１０１が第１の押当部９２と第２の押当部９３によって十分な圧力で挟まれ、音響出力装置７１の耳１００への安定した装着状態を確保することができる。
【０１６９】
尚、着脱体７５は変形（屈曲）可能であり変形された状態が保持される材料（フレキシブルナ材料）によって形成されていてもよい。着脱体７５がこのような材料によって形成されることにより、音響出力装置７１が耳１００に装着された状態において、着脱体７５を所望の状態に変形させて、例えば、開口８９ａを外耳道１１３に近付けたりすることや、開口８９ａから発せられる音声の向きを必要に応じて変更することが可能になる。
【０１７０】
また、連結部８４と着脱体７５の双方が変形（屈曲）可能であり変形された状態が保持される材料によって形成されていてもよい。連結部８４と着脱体７５がこのような材料によって形成されることにより、音響出力装置７１が耳１００に装着された状態において、装着部７２を所望の状態に変形させて、例えば、開口８９ａを外耳道１１３に近付けたりすることや、開口８９ａから発せられる音声の向きを必要に応じて変更することが可能になる。
【０１７１】
さらに、装着部７２の耳１００への装着時に耳１００の形や大きさに応じて装着部７２を変形することが可能になるため、音響出力装置７１の耳１００への安定した装着状態を確保することができる。
【０１７２】
音響出力装置７１、７１は他の構造物や機器等に取り付けて保管等を行うことも可能である（図１８参照）。
【０１７３】
例えば、携帯電話等の電子機器５０において音響出力装置７１を使用する場合等に、電子機器５０の外周部５１をスピーカー配置部７７と音声出力部７８の間に挿入し、外周部５１を両面側からスピーカー配置部７７と音声出力部７８によって挟持した状態で音響出力装置７１を電子機器５０に取り付けて保管等を行うことが可能である。外周部５１を両面側からスピーカー配置部７７と音声出力部７８によって挟持した状態においては、弾性力によって音響出力装置７１にスピーカー配置部７７と音声出力部７８が互いに近付く方向への付勢力が付与されており、振動等によって音響出力装置７１が電子機器５０から脱落し難い状態にされている。
【０１７４】
このような使用（保管）は、例えば、一時的に音楽の聴き取りを停止し音響出力装置７１を耳１００から取り外すとき等においても行うことができる。
【０１７５】
上記のように音響出力装置７１にあっては、第１の押当部２２と第２の押当部２３が互いに離接する方向へ弾性変形可能にされているため、耳１００に対する装着時及び取外時に装着部２が弾性変形され、耳１００に対する装着及び取外を容易に行うことができると共に耳１００に対する安定した装着状態を確保することができる。
【０１７６】
また、長手方向が周方向になるように屈曲された装着部２が設けられ、装着部２の長手方向における両端部に第１の押当部２２と第２の押当部２３が設けられているため、弾性変形された状態で装着部２の両端部がそれぞれ耳介１０１の両面に押し当てられ、耳１００に対する安定した装着状態を確保することができる。
【０１７７】
尚、上記した音響出力装置１、１Ａ、１Ｂ、１Ｃにおいても、音響出力装置７１と同様に、例えば、携帯電話等の電子機器５０において音響出力装置１、１Ａ、１Ｂ、１Ｃを使用する場合等に、電子機器５０の外周部５１をスピーカー配置部２と音導パイプ３の間に挿入し、外周部５１を両面側からスピーカー配置部２と音導パイプ３によって挟持した状態で音響出力装置１、１Ａ、１Ｂ、１Ｃを電子機器５０に取り付けて保管等を行うことが可能である。外周部５１を両面側からスピーカー配置部２と音導パイプ３によって挟持した状態において、弾性力によって音響出力装置７１にスピーカー配置部２と音導パイプ３が互いに近付く方向への付勢力を付与させることも可能であり、この場合には、特に、振動等によって音響出力装置１、１Ａ、１Ｂ、１Ｃが電子機器５０から脱落し難い状態にされている。
【０１７８】
上記のように、音響出力装置１、１Ａ、１Ｂ、１Ｃ、７１は、例えば、携帯電話等の電子機器５０の外周部５１を挟持した状態で外周部５１に取り付けることが可能にされているため、携帯や保管等が容易であり、使い勝手の向上を図ることができる。
【０１７９】
また、携帯時及び保管時に、耳１００に装着される部分であるスピーカー配置部２や音導パイプ３や装着部７２とコード９７、９７及びコード９７、９７同士の絡まりを防止して使い勝手の向上を図ることができる。
【０１８０】
＜本技術＞
本技術は、以下のような構成にすることができる。
【０１８１】
（１）
音声を出力するスピーカーと、
内部に前記スピーカーが配置されたスピーカー配置部と、
一端部が前記スピーカー配置部に連続され内部空間が前記スピーカーから出力される音声を導く音導空間として形成された音導パイプとを備え、
前記音導パイプの他端に音声を耳へ向けて発する開口が形成され、
前記スピーカー配置部の一部と前記音導パイプの一部、又は、前記音導パイプの各一部が耳介の外周部を挟んだ状態で耳に装着される
音響出力装置。
【０１８２】
（２）
前記開口が前記耳介の内側空間に位置される
前記（１）に記載の音響出力装置。
【０１８３】
（３）
前記開口が耳甲介腔に位置される
前記（２）に記載の音響出力装置。
【０１８４】
（４）
前記音導パイプの一部が前記耳介に接する耳宛面として形成され、
前記耳宛面が曲面状に形成された
前記（１）から前記（３）の何れかに記載の音響出力装置。
【０１８５】
（５）
前記スピーカー配置部の一部が前記耳介に接触可能な当付面として形成され、
前記当付面が平面状に形成された
前記（１）から前記（４）の何れかに記載の音響出力装置。
【０１８６】
（６）
前記音導パイプには前記スピーカー配置部に連続された結合ベース部と前記結合ベース部に着脱可能とされ前記開口を有する着脱部とが設けられた
前記（１）から前記（５）の何れかに記載の音響出力装置。
【０１８７】
（７）
前記結合ベース部には、前記着脱部の前記結合ベース部への取付時に前記着脱部に差し込まれる差込部が設けられた
前記（６）に記載の音響出力装置。
【０１８８】
（８）
前記着脱部が前記結合ベース部より硬度の低い材料によって形成された
前記（６）又は前記（７）に記載の音響出力装置。
【０１８９】
（９）
前記音導パイプが前記スピーカー配置部に対して弾性変形可能にされた
前記（１）から前記（８）の何れかに記載の音響出力装置。
【０１９０】
（１０）
耳に装着された状態において前記音導パイプの先端部が耳に非接触の状態とされる
前記（１）から前記（９）の何れかに記載の音響出力装置。
【０１９１】
（１１）
前記スピーカー配置部の少なくとも一部と前記音導パイプの少なくとも一部とが一体に形成された
前記（１）から前記（１０）の何れかに記載の音響出力装置。
【０１９２】
（１２）
前記スピーカー配置部と前記音導パイプと前記スピーカーがそれぞれ一対ずつ設けられた
前記（１）から前記（１１）の何れかに記載の音響出力装置。
【０１９３】
（１３）
前記スピーカー配置部には前記スピーカーに電力を供給する電池が配置された
前記（１）から前記（１２）の何れかに記載の音響出力装置。
【０１９４】
（１４）
前記スピーカー配置部に無線通信用の制御基板が配置された
前記（１）から前記（１３）の何れかに記載の音響出力装置。
【０１９５】
（１５）
耳介の両面にそれぞれ押し当てられる第１の押当部と第２の押当部が設けられ、
前記第１の押当部と前記第２の押当部が互いに離接する方向へ弾性変形可能にされた
前記（１）から前記（１４）の何れかに記載の音響出力装置。
【０１９６】
（１６）
長手方向が周方向になるように屈曲された装着部が設けられ、
前記装着部の長手方向における両端部に前記第１の押当部と前記第２の押当部が設けられた
前記（１５）に記載の音響出力装置。
【符号の説明】
【０１９７】
１００…耳、１０１…耳介、１５０…内側空間、１１４…耳甲介腔、１…音響出力装置、２…スピーカー配置部、３…音導パイプ、３ａ…音導空間、３ｂ…耳宛面、６ａ…当付面、８…スピーカー、１０…結合ベース部、１０ａ…差込部、１１…着脱部、１１ｂ…開口、１Ａ…音響出力装置、１Ｂ…音響出力装置、７１…音響出力装置、７２…装着部、９２…第１の押当部、９３…第２押当部
【図１】
2018042900.tif 000003
【図２】
2018042900.tif 000004
【図３】
2018042900.tif 000005
【図４】
2018042900.tif 000006
【図５】
2018042900.tif 000007
【図６】
2018042900.tif 000008
【図７】
2018042900.tif 000009
【図８】
2018042900.tif 000010
【図９】
2018042900.tif 000011
【図１０】
2018042900.tif 000012
【図１１】
2018042900.tif 000013
【図１２】
2018042900.tif 000014
【図１３】
2018042900.tif 000015
【図１４】
2018042900.tif 000016
【図１５】
2018042900.tif 000017
【図１６】
2018042900.tif 000018
【図１７】
2018042900.tif 000019
【図１８】
2018042900.tif 000020
【図１９】
2018042900.tif 000021
【国際調査報告】
2018042900.tif 000022
2018042900.tif 000023